(57)【要約】【課題】本発明は、フォーカス操作部材、ズーム操作部材を操作しながらレンズ装置用操作スイッチの操作を可能とすることにより、テレビカメラの操作性を向上させることができるレンズ装置用操作スイッチの取付金具を提供する。【解決手段】本発明は、カメラ本体１６の把手２４、又はビルトアップカメラユニット６２の把手７０に取付金具１０、６０を装着すると、その取付金具１０、６０に取り付けられているスイッチユニット４４がフォーカスデマンド２６、又はズームレートデマンドに近接配置される。これにより、フォーカスデマンド２６、又はズームレートデマンドを操作しながら、スイッチユニット４４の操作が可能となるので、テレビカメラの操作性が向上する。【選択図】    図１
2009017224.tif 000002
【特許請求の範囲】
【請求項１】
カメラ本体、又はカメラ本体が支持されるビルトアップカメラユニットに、レンズ装置のフォーカスレンズを操作するフォーカス操作部材、又はレンズ装置のズームレンズを操作するズーム操作部材が取り付けられたテレビカメラにおいて、
前記カメラ本体に設けられた把手、又は前記ビルトアップカメラユニットに設けられた把手には、前記レンズ装置を操作するレンズ装置用操作スイッチが取り付けられた金具が着脱自在に装着され、
前記金具によって前記レンズ装置用操作スイッチは、前記フォーカス操作部材、又はズーム操作部材に近接配置されることを特徴とするレンズ装置用操作スイッチの取付金具。
【請求項２】
カメラ本体、又はカメラ本体が支持されるビルトアップカメラユニットに、レンズ装置のフォーカスレンズを操作するフォーカス操作部材、又はレンズ装置のズームレンズを操作するズーム操作部材が取り付けられたテレビカメラにおいて、
前記カメラ本体に予め取り付けられた取付座、又は前記ビルトアップカメラユニットに予め取り付けられた取付座には、前記レンズ装置を操作するレンズ装置用操作スイッチが取り付けられた金具が着脱自在に装着され、
前記金具によって前記レンズ装置用操作スイッチは、前記フォーカス操作部材、又はズーム操作部材に近接配置されることを特徴とするレンズ装置用操作スイッチの取付金具。
【請求項３】
前記レンズ装置用操作スイッチは、前記レンズ装置の防振レンズをＯＮ／ＯＦＦ操作する防振スイッチ、前記レンズ装置のワイパー装置をＯＮ／ＯＦＦ操作するワイパースイッチ、前記レンズ装置のエクステンダレンズ部を操作するエクステンダスイッチであることを特徴とする請求項１、又は２に記載のレンズ装置用操作スイッチの取付金具。
【請求項４】
前記金具には、前記レンズ装置用操作スイッチの配置位置を調整する位置調整部が設けられていることを特徴とする請求項１、２又は3のうちいずれかに記載のレンズ装置用操作スイッチの取付金具。
【請求項５】
前記金具の位置調整部は、上下方向調整部、水平方向調整部、及び回動方向調整部のうち少なくとも一つの調整部であることを特徴とする請求項４に記載のレンズ装置用操作スイッチの取付金具。
【発明の詳細な説明】
【技術分野】
【０００１】
本発明は、フォーカスレンズを操作するフォーカス操作部材、ズームレンズを操作するズーム操作部材がカメラ本体、又はビルトアップカメラユニットに取り付けられたテレビカメラにおいて、その他のレンズ装置用操作スイッチをテレビカメラに有効に取り付けるために用いられるレンズ装置用操作スイッチの取付金具に関する。
【背景技術】
【０００２】
スタジオ、競技場等においてテレビカメラで撮影を行う場合には、雲台を備えた三脚等の支持部材にテレビカメラを設置して行うのが通常である。また、ＥＮＧカメラ等のハンディタイプのカメラを使用して撮影を行う場合には、特許文献１に開示されたビルトアップカメラユニットを利用して行う場合が多い。
【０００３】
ビルトアップカメラユニットとは、ハンディタイプのカメラ本体を支持する支持フレーム、支持フレームを支持する三脚、及びカメラ本体に接続されるレンズ装置を収納するレンズカバー等から構成されている。このビルドアップカメラユニットは、レンズ装置のフォーカスレンズを操作する場合、レンズ装置がレンズカバー内に収納されて手動操作が困難であるため、フォーカスレンズを電動で遠隔操作するフォーカスデマンドによってフォーカス操作を行っている（特許文献１参照）。なお、レンズ装置のズームレンズを操作する場合も同様であり、ズームレンズを電動で遠隔操作するズームレートデマンドによってズーム操作を行っている。
【０００４】
このようなフォーカスデマンド、ズームレートデマンドは、ビルトアップカメラユニットの前記支持フレームの側面に取り付けられ、カメラマンの手によって操作される。
【０００５】
また、箱型レンズを使用する一般的なテレビカメラでは、フォーカスデマンド、ズームレートデマンドがカメラ本体の側面に装着されているものがある。このテレビカメラも同様にカメラマンの手によってフォーカスデマンド、ズームレートデマンドが操作される。
【０００６】
ところで、テレビカメラには、前述したフォーカスデマンド、ズームレートデマンドの他に、防振レンズをＯＮ／ＯＦＦ操作する防振スイッチ、ワイパー装置をＯＮ／ＯＦＦ操作するワイパースイッチ、エクステンダレンズ部を操作するエクステンダスイッチ等のレンズ装置用操作スイッチが設けられている。従来、これらのレンズ装置用操作スイッチは、カメラ本体の背面に設けられた把手、及びビルトアップカメラユニットの支持フレームの背面に設けられた把手に取り付けられてカメラマンの手によって操作されている。
【特許文献１】特開２００６−２２９７８３号公報
【発明の開示】
【発明が解決しようとする課題】
【０００７】
ところで、テレビカメラを操作するカメラマンは、一般にカメラ本体のビューファインダを見ながらフォーカスデマンド、ズームレートデマンドを操作するが、その他のレンズ装置用操作スイッチを操作する際においても、フォーカスデマンド、ズームレートデマンドを操作しながら操作することがテレビカメラの撮影操作上好ましい。
【０００８】
しかしながら、カメラ本体、又はビルトアップカメラユニットにフォーカスデマンド、ズームレートデマンドが設けられた従来のテレビカメラでは、その他のレンズ装置用操作スイッチがフォーカスデマンド、ズームレートデマンドから離れた位置に、例えば、カメラ本体の背面に設けられた把手、及びビルトアップカメラユニットの支持フレームの背面に設けられている把手に配置されているため、フォーカスデマンド、ズームレートデマンドから手を離さなければその他のレンズ装置用操作スイッチを操作することができず、テレビカメラの操作性が悪いという欠点があった。また、スイッチの位置を目で一度確認しなければならないため、ビューファインダから目を離す必要があり、スムーズな撮影ができないという欠点があった。
【０００９】
本発明はこのような事情に鑑みてなされたもので、フォーカス操作部材、ズーム操作部材を操作しながらレンズ装置用操作スイッチの操作を可能とすることにより、テレビカメラの操作性を向上させることができるレンズ装置用操作スイッチの取付金具を提供することを目的とする。
【課題を解決するための手段】
【００１０】
請求項１に記載の発明は、前記目的を達成するために、カメラ本体、又はカメラ本体が支持されるビルトアップカメラユニットに、レンズ装置のフォーカスレンズを操作するフォーカス操作部材、又はレンズ装置のズームレンズを操作するズーム操作部材が取り付けられたテレビカメラにおいて、前記カメラ本体に設けられた把手、又は前記ビルトアップカメラユニットに設けられた把手には、前記レンズ装置を操作するレンズ装置用操作スイッチが取り付けられた金具が着脱自在に装着され、前記金具によって前記レンズ装置用操作スイッチは、前記フォーカス操作部材、又はズーム操作部材に近接配置されることを特徴としている。
【００１１】
請求項１に記載の発明によれば、カメラ本体の把手、又はビルトアップカメラユニットの把手に金具を装着すると、その金具に取り付けられているレンズ装置用操作スイッチがフォーカス操作部材、又はズーム操作部材に近接配置される。これにより、フォーカス操作部材、又はズーム操作部材を操作しながら、レンズ装置用操作スイッチの操作が可能となるので、テレビカメラの操作性が向上する。
【００１２】
請求項２に記載の発明は、前記目的を達成するために、カメラ本体、又はカメラ本体が支持されるビルトアップカメラユニットに、レンズ装置のフォーカスレンズを操作するフォーカス操作部材、又はレンズ装置のズームレンズを操作するズーム操作部材が取り付けられたテレビカメラにおいて、前記カメラ本体に予め取り付けられた取付座、又は前記ビルトアップカメラユニットに予め取り付けられた取付座には、前記レンズ装置を操作するレンズ装置用操作スイッチが取り付けられた金具が着脱自在に装着され、前記金具によって前記レンズ装置用操作スイッチは、前記フォーカス操作部材、又はズーム操作部材に近接配置されることを特徴としている。
【００１３】
請求項２に記載の発明によれば、カメラ本体の取付座、又はビルトアップカメラユニットの取付座に金具を装着すると、その金具に取り付けられているレンズ装置用操作スイッチがフォーカス操作部材、又はズーム操作部材に近接配置される。これにより、フォーカス操作部材、又はズーム操作部材を操作しながら、レンズ装置用操作スイッチの操作が可能となるので、テレビカメラの操作性が向上する。
【００１４】
請求項３に記載の発明は、請求項１又は２において、前記レンズ装置用操作スイッチは、前記レンズ装置の防振レンズをＯＮ／ＯＦＦ操作する防振スイッチ、前記レンズ装置のワイパー装置をＯＮ／ＯＦＦ操作するワイパースイッチ、前記レンズ装置のエクステンダレンズ部を操作するエクステンダスイッチであることを特徴としている。
【００１５】
請求項３に記載の発明によれば、フォーカス操作部材、ズーム操作部材を操作しながら、防振スイッチ、ワイパースイッチ、エクステンダスイッチを操作することができるので、テレビカメラの操作性が向上する。
【００１６】
請求項４に記載の発明は、請求項１、２又は３に記載の発明において、前記金具には、前記レンズ装置用操作スイッチの配置位置を調整する位置調整部が設けられていることを特徴としている。
【００１７】
請求項４に記載の発明によれば、金具に設けた位置調整部によってレンズ装置用操作スイッチの、フォーカス操作部材、ズーム操作部材に対する位置を調整することができるので、レンズ装置用操作スイッチをカメラマンの好みに応じた位置に配置することができる。これにより、テレビカメラの操作性が更に向上する。
【００１８】
請求項５に記載の発明は、請求項４において、前記金具の位置調整部は、上下方向調整部、水平方向調整部、及び回動方向調整部のうち少なくとも一つの調整部であることを特徴としている。
【００１９】
請求項５に記載の発明によれば、金具の位置調整部の上下方向調整部、水平方向調整部、又は回動方向調整部を利用してレンズ装置用操作スイッチをカメラマンの好みに応じた位置に配置することができ、また、その位置を微調整することもできる。
【発明の効果】
【００２０】
本発明に係るレンズ装置用操作スイッチの取付金具によれば、カメラ本体の把手、ビルトアップカメラユニットの把手に金具を装着すると、その金具に取り付けられているレンズ装置用操作スイッチがフォーカス操作部材、又はズーム操作部材に近接配置されるので、フォーカス操作部材、又はズーム操作部材を操作しながら、レンズ装置用操作スイッチの操作が可能となり、これによって、テレビカメラの操作性が向上する。
【００２１】
また、本発明に係るレンズ装置用操作スイッチの取付金具によれば、カメラ本体の取付座、又はビルトアップカメラユニットの取付座に金具を装着すると、その金具に取り付けられているレンズ装置用操作スイッチがフォーカス操作部材、又はズーム操作部材に近接配置されるので、フォーカス操作部材、又はズーム操作部材を操作しながら、レンズ装置用操作スイッチの操作が可能となり、これによって、テレビカメラの操作性が向上する。
【発明を実施するための最良の形態】
【００２２】
以下添付図面に従って、本発明に係るレンズ装置用操作スイッチの取付金具の好ましい実施の形態について詳述する。
【００２３】
図１は、本発明の第１の実施の形態に係るレンズ装置用操作スイッチの取付金具１０が適用されたテレビカメラ１２を後方の斜め上方から見た斜視図である。
【００２４】
このテレビカメラ１２は、電子ビューファインダ１４を有するカメラ本体１６と箱型のレンズ装置１８とから構成され、カメラ本体１６が不図示の雲台装置を介して三脚２０に支持されている。また、前記雲台装置にはパン棒２２が後方に延設され、このパン棒２２のグリップ２３をカメラマンが左手で把持して上下、左右に動作させることにより、テレビカメラ１２が雲台装置を介してパン方向、チルト方向に動作される。なお、グリップ２３には通常ズームレートデマンド（ズーム操作部材）が設けられている。
【００２５】
カメラ本体１６の側面には、カメラ本体１６を持ち運びするための把手２４が設けられている。この把手２４は角柱状に形成されて、テレビカメラ１２の撮影光軸と略平行に設けられるとともに、カメラ本体１６の後方から見て右側面の略中央部に設けられている。この把手２４に実施の形態の取付金具（金具）１０が着脱自在に装着される。また、カメラ本体１６の右側面の後方下部には、カメラマンが右手で操作するフォーカスデマンド（フォーカス操作部材）２６が回動自在に装着されている。よって、カメラマンは、左手でパン棒２２のグリップ２３を把持しながらズームレートデマンドを操作し、電子ビューファインダ１４に映る画像を見ながら、右手でフォーカスデマンド２６を操作することができる。なお、実施の形態では、フォーカスデマンド２６を例示しているが、これに代えてズームレートデマンド（ズーム操作部材）をカメラ本体１６の側面に設けてもよい。以下に説明する実施の形態では、フォーカスデマンド２６について説明するが、フォーカスデマンド２６に代えてズームレートデマンドを適用してもよいことはもちろんである。
【００２６】
フォーカスデマンド２６は、筒形状の操作ハンドル２８と、この操作ハンドル２８を回動自在に支持する本体３０とからなり、操作ハンドル２８の回転方向、及び回転速度を示す情報が不図示のケーブルからレンズ装置１８のフォーカス駆動制御部に出力される。フォーカス駆動制御部は、前記操作ハンドル２８の回転方向、及び回転速度を示す情報に基づきレンズ装置１８のフォーカスレンズを駆動し、フォーカス制御を行う。
【００２７】
一方、取付金具１０は、図２に示すように第１の金具３２、第２の金具３４、及びスイッチユニット（レンズ装置用操作スイッチ）４４が取り付けられた第３の金具３６等から構成される。第１の金具３２には、把手２４に嵌合される凹部３８が形成される。この凹部３８と平板状の第２の金具３４とによって角柱状の把手２４が図１の如く包囲されるとともに、第２の金具３４の下縁部が第１の金具３２に設けられたバー４０に係止され、この状態で第２の金具３４の上端部が第１の金具３２にボルト４２、４２によって締結されることにより、第１の金具３２が把手２４に装着される。また、この状態でボルト４２、４２を緩めれば、第１の金具３２が把手２４に沿って水平方向に摺動移動自在となり、摺動されることによって第１の金具３２がフォーカスデマンド２６に対し水平方向に進退移動される。これによって、後述するスイッチユニット４４のフォーカスデマンド２６に対する水平方向位置が調整される。ボルト４２、４２を緩めて第１の金具３２を把手２４に沿って摺動移動させる構造が、位置調整部の水平方向調整部を構成している。
【００２８】
図２の如く、第１の金具３２の下部には、中央にねじ孔４６が形成された菊座４８が固定され、この菊座４８には、第３の金具３６に固定された菊座５０が係合される。この菊座５０の中央部に形成された貫通孔５２を介してツマミ付きボルト５４を挿入し、菊座４８のねじ孔４６に螺合結合させることにより、第１の金具３２に第３の金具３６が連結される。また、菊座４８に対する菊座５０の回転方向の噛合位置を適宜調整することにより、ツマミ付きボルト５４を回転中心とした第３の金具３６の傾動位置（回動位置）を調整することができる。菊座４８に対して菊座５０を回転させる構造が、位置調整部の回動方向調整部を構成している。
【００２９】
したがって、前述した水平方向調整部、及び回動方向調整部を適宜操作することにより、フォーカスデマンド２６に対するスイッチユニット４４の配置位置を調整することができる。そして、実施の形態では図１に示すように、取付金具１０を逆Ｌ字状に屈折させることにより、フォーカスデマンド２６にスイッチユニット４４を接近させている。これにより、フォーカスデマンド２６を把持したカメラマンの右手で、フォーカスデマンド２６から右手を離すことなく、スイッチユニット４４を操作することができる。
【００３０】
スイッチユニット４４には、レンズ装置１８の防振レンズをＯＮ／ＯＦＦ操作する防振スイッチ５６、レンズ装置１８のワイパー装置をＯＮ／ＯＦＦ操作するワイパースイッチ５８が設けられている。また、レンズ装置１８のエクステンダレンズ部を操作するエクステンダスイッチをこのスイッチユニット４４に設けてもよい。これらのスイッチからのＯＮ／ＯＦＦ信号は、ケーブル５９を介してレンズ装置１８の所定の駆動部に出力される。
【００３１】
以上の如く第１の実施の形態のレンズ装置用操作スイッチの取付金具１０によれば、カメラ本体１６の把手２４に取付金具１０を装着すると、取付金具１０に取り付けられているレンズ装置用のスイッチユニット４４がフォーカスデマンド（ズームレートデマンド）２６に近接配置されるので、フォーカスデマンド（ズームレートデマンド）２６を操作しながら、スイッチユニット４４の防振スイッチ５６、ワイパースイッチ５８、又はエクステンダスイッチのＯＮ／ＯＦＦの操作が可能となる。これにより、テレビカメラ１２の操作性が向上する。
【００３２】
図３は、本発明の第２の実施の形態に係るレンズ装置用操作スイッチの取付金具６０が適用されたビルトアップカメラユニット６２を後方の斜め上方から見た斜視図である。なお、図１、図２に示した第１の実施の形態と同一又は類似の部材については同一の符号を付して説明する。
【００３３】
ビルトアップカメラユニット６２は、ハンディタイプのカメラ本体（不図示）を支持するとともに電子ビューファインダ１４が搭載される支持フレーム６４、支持フレーム６４を支持する三脚６６、及びカメラ本体に接続されるレンズ装置（不図示）を収納するレンズカバー６８等から構成されている。
【００３４】
ビルドアップカメラユニット６２の支持フレーム６４の側面には、支持フレーム６４を持ち運びするための把手７０が設けられている。この把手７０は角柱状に形成されて、支持フレーム６４に支持されるカメラ本体の撮影光軸と略平行に設けられるとともに、カメラ本体１６の後方から見て右側面の上部に設けられている。この把手７０に実施の形態の取付金具（金具）６０が着脱自在に装着される。また、支持フレーム６４の右側面の後方下部には、カメラマンが右手で操作するフォーカスデマンド２６が回動自在に装着されている。
【００３５】
取付金具６０は、図４に示すように第１の金具７２、第２の金具７４、第３の金具７６、及びスイッチユニット４４が取り付けられた第４の金具７８等から構成される。第１の金具７２には、把手７０に嵌合される凹部（不図示）が形成される。この凹部と平板状の第２の金具７４とによって角柱状の把手７０が包囲されるとともに、第２の金具７４の下縁部が第１の金具７２に設けられたバー８０に係止され、この状態で第２の金具７４の上端部が第１の金具７２にボルト８２、８２によって締結されることにより、第１の金具７２が把手７０に装着される。また、この状態でボルト８２、８２を緩めれば、第１の金具７２が把手７０に沿って摺動移動自在となり、摺動されることによって第１の金具７２がフォーカスデマンド２６に対し進退移動される。これによって、スイッチユニット４４のフォーカスデマンド２６に対する水平方向位置が調整される。ボルト８２、８２を緩めて第１の金具７２を把手７０に沿って摺動移動させる構造が、位置調整部の水平方向調整部を構成している。
【００３６】
第１の金具７２の下部には、上下方向に一対の長孔８４、８４が形成される。この長孔８４、８４に第３の金具７６の上端部がボルト８６、８６及びナット（不図示）を介して締結される。この状態でボルト８６、８６を緩めれば、第３の金具７６が長孔８４、８４に沿って上下方向に摺動移動自在となり、摺動されることによって第３の金具７６がフォーカスデマンド２６に対し上下方向に進退移動される。これにより、スイッチユニット４４のフォーカスデマンド２６に対する上下方向位置が調整される。ボルト８６、８６を緩めて第３の金具７６を第１の金具７２に対して上下方向に摺動移動させる構造が、位置調整部の上下方向調整部を構成している。上下方向調整を設ける理由は、ビルトアップカメラユニット６２の把手７０が、図１に示したカメラ本体１６の把手２４よりも、フォーカスデマンド２６に対して上方位置に設けられているためであり、この高さの差を調整するためである。
【００３７】
第３の金具７６の下部には、中央にねじ孔８８が形成された菊座９０が固定され、この菊座９０には、第４の金具７８に固定された菊座９２が係合される。この菊座９２の中央に形成された貫通孔９４を介してツマミ付きボルト９６を挿入し、菊座９０のねじ孔８８に螺合結合させることにより、第３の金具７６に第４の金具７８が連結される。また、菊座９０に対する菊座９２の回転方向の噛合位置を適宜調整することにより、ツマミ付きボルト９６を回転中心とした第４の金具７８の傾動位置（回動位置）を調整することができる。菊座９０に対して菊座９２を回転させる構造が、位置調整部の回動方向調整部を構成している。
【００３８】
したがって、前述した水平方向調整部、上下方向調整部、及び回動方向調整部を適宜操作することにより、フォーカスデマンド２６に対するスイッチユニット４４の配置位置を調整することができる。そして、実施の形態では図３に示すように、取付金具６０を逆Ｌ字状に屈折させることにより、フォーカスデマンド２６にスイッチユニット４４を接近させている。これにより、フォーカスデマンド２６を把持したカメラマンの右手で、フォーカスデマンド２６から右手を離すことなく、スイッチユニット４４を操作可することができる。よって、フォーカスデマンド（ズームレートデマンド）２６を操作しながら、スイッチユニット４４のＯＮ／ＯＦＦ操作が可能となるので、テレビカメラ１２の操作性が向上する。
【００３９】
図５は、本発明の第３の実施の形態に係るレンズ装置用操作スイッチの取付金具１００が適用されたビルトアップカメラユニット６２を後方の斜め上方から見た斜視図である。なお、図３、図４に示した第２の実施の形態と同一又は類似の部材については同一の符号を付して説明する。
【００４０】
ビルトアップカメラユニット６２の支持フレーム６４の側面の後方下部には、図６に示すように取付座である菊座１０２が予め設けられており、この菊座１０２を利用して取付金具１００が着脱自在に装着される。また、菊座１０２の上方には、カメラマンが右手で操作するフォーカスデマンド２６が回動自在に装着されている。
【００４１】
取付金具１００は、第１の金具１０４、第２の金具１０６、及びスイッチユニット４４が取り付けられた第３の金具１０８等から構成される。
【００４２】
第１の金具１０４の一端部には、貫通孔１１０が形成された菊座１１２が固定され、この菊座１１２が菊座１０２に係合される。この状態で菊座１１２の貫通孔１１０を介してツマミ付きボルト１１４を挿入し、菊座１０２のねじ孔１１６に螺合結合させることにより、菊座１０２に第１の金具１０４が連結される。また、菊座１０２に対する菊座１１２の回転方向の噛合位置を適宜調整することにより、ツマミ付きボルト１１４を回転中心とした第１の金具１０４の傾動位置（回動位置）を調整することができる。菊座１０２に対して菊座１１２を回転させる構造が、位置調整部の回動方向調整部を構成している。
【００４３】
また、第１の金具１０４の他端部には、中央部にねじ孔１１８が形成された菊座１２０が固定され、この菊座１２０に菊座１２２が係合される。この状態で第２の金具１０６の上下方向に形成された長孔１２４と菊座１２２の中央部に形成された貫通孔１２６を介してツマミ付きボルト１２６を挿入し、菊座１２０のねじ孔１１８に螺合結合させることにより、第１の金具１０４に第２の金具１０６が連結される。また、菊座１２０に対する菊座１２２の回転方向の噛合位置を適宜調整することにより、ツマミ付きボルト１２６を回転中心とした第２の金具１０６の傾動位置（回動位置）を調整することができる。菊座１２０に対して菊座１２２を回転させる構造が、位置調整部の回動方向調整部を構成している。また、この状態でツマミ付きボルト１２６を緩めれば、第２の金具１０６が長孔１２４に沿って上下方向に摺動移動自在となる。ツマミ付きボルト１２６を緩めて第２の金具１０６を上下方向に摺動移動させる構造が、位置調整部の上下方向調整部を構成している。
【００４４】
更に、第２の金具１０６の上端部には、中央部にねじ孔１２８が形成された菊座１３０が固定され、この菊座１３０には、第３の金具１０８の菊座１３２が係合される。この状態で、菊座１３２の中央に形成された貫通孔１３４を介してツマミ付きボルト１３６を挿入し、菊座１３０のねじ孔１２８に螺合結合させることにより、第２の金具１０６に第３の金具１０８が連結される。また、菊座１３０に対する菊座１３２の回転方向の噛合位置を適宜調整することにより、ツマミ付きボルト１３６を回転中心とした第３の金具１０８の傾動位置（回動位置）を調整することができる。菊座１３０に対して菊座１３２を回転させる構造が、位置調整部の回動方向調整部を構成している。
【００４５】
したがって、前述した上下方向調整部、及び回動方向調整部を適宜操作することにより、フォーカスデマンド２６に対するスイッチユニット４４の配置位置を調整することができる。そして、実施の形態では図５に示すように、取付金具１００を逆Ｌ字状に屈折させることにより、フォーカスデマンド２６にスイッチユニット４４を接近させている。これにより、フォーカスデマンド２６を把持したカメラマンの右手で、フォーカスデマンド２６から右手を離すことなく、スイッチユニット４４を操作することができる。よって、フォーカスデマンド（ズームレートデマンド）２６を操作しながら、スイッチユニット４４のＯＮ／ＯＦＦ操作が可能となるので、テレビカメラ１２の操作性が向上する。
【００４６】
なお、上述した第１〜第３の実施の形態の取付金具は、水平方向調整部、上下方向調整部、及び回動方向調整部のうち二つの調整部を備えているが、これに限定されるものではなく、取付金具を構成する金具の大きさ、形状を変更することにより、これらの調整部のうち、少なくとも一つの調整部を備えることでレンズ装置用操作スイッチをフォーカス操作部材に近接配置することができる。また、複数の金具を菊座を利用して連結した構成の取付金具に限定されるものではなく、一体型の取付金具でも適用することができる。
【図面の簡単な説明】
【００４７】
【図１】第１の実施の形態に係るレンズ装置用操作スイッチの取付金具が適用されたテレビカメラを後方の斜め上方から見た斜視図
【図２】図１に示した取付金具の組立斜視図
【図３】第２の実施の形態に係るレンズ装置用操作スイッチの取付金具が適用されたビルトアップカメラユニットを後方の斜め上方から見た斜視図
【図４】図３に示した取付金具の組立斜視図
【図５】第３の実施の形態に係るレンズ装置用操作スイッチの取付金具が適用されたビルトアップカメラユニットを後方の斜め上方から見た斜視図
【図６】図５に示した取付金具の組立斜視図
【符号の説明】
【００４８】
１０…取付金具、１２…テレビカメラ、１４…電子ビューファインダ、１６…カメラ本体、１８…レンズ装置、２４…把手、２６…フォーカスデマンド、４４…スイッチユニット、５６…防振スイッチ、５８…ワイパースイッチ、６０…取付金具、６２…ビルトアップカメラユニット、６４…支持フレーム、７０…把手、１００…取付金具
【図１】
2009017224.tif 000003
【図２】
2009017224.tif 000004
【図３】
2009017224.tif 000005
【図４】
2009017224.tif 000006
【図５】
2009017224.tif 000007
【図６】
2009017224.tif 000008